(57)【特許請求の範囲】
【請求項１】
コンタクトレンズパッケージ（１０、１１０、２１０、３１０、４１０、５１０、６１０、７１０、８１０、９１０、）であって、
密封コンタクトレンズパッケージ（１２、１１２、２１２、３１２、４１２、５１２、７１２、８１２）であって、該密封コンタクトレンズパッケージ（１２、１１２、２１２、３１２、４１２、５１２、７１２、８１２）が、ベース部材（１８、１１８、２１８、３１８、４１８、５１８、７１８、８１８）と、密封空洞を与えるために該ベース部材（１８、１１８、２１８、３１８、４１８、５１８、７１８、８１８）に結合された密封部材（１６、１１６、２１６、３１６、４１６、５１６、７１６、８１６）とを含み、未着用コンタクトレンズが、該密封空洞内のコンタクトレンズパッケージング溶液中に与えられる前記密封コンタクトレンズパッケージ（１２、１１２、２１２、３１２、４１２、５１２、７１２、８１２）と、
数字又は文字又はその組合せを含む人間可読形態（４４、１４４、２４４、３４４、４４４、５４４、６４４、７４４、８４４）とバーコードを含む機械可読形態（４２、１４２、２４２、３４２、４４２、５４２、６４２、７４２、８４２）との両方での固有デバイス識別子（４０、１４０、２４０、３４０、４４０、５４０、６４０、７４０、８４０）を含む印刷面を含む少なくとも１つのパネル（３０、１３０、２３０、３３０、４３０、５３０、６３０、７３０、８３０）を含む外被（１４、１１４、２１４、３１４、４１４、５１４、６１４、７１４、８１４）と、
を含み、
前記ベース部材（１８、１１８、２１８、３１８、４１８、５１８、７１８、８１８）は、空洞（２０、１２０、２２０、３２０、４２０、５２０、７２０、８２０）と、該空洞（２０、１２０、２２０、３２０、４２０、５２０、７２０、８２０）を取り囲み、前記密封部材（１６、１１６、２１６、３１６、４１６、５１６、７１６、８１６）のための密封面を与える実質的に平面的な面とを含む熱可塑性材料であり、前記外被（１４、１１４、２１４、３１４、４１４、５１４、６１４、７１４、８１４）は、該外被を該密封部材（１６、１１６、２１６、３１６、４１６、５１６、７１６、８１６）に接着する接着剤を含み、
前記外被（１４、１１４、２１４、３１４、４１４、５１４、６１４、７１４、８１４）は、前記密封部材（１６、１１６、２１６、３１６、４１６、５１６、７１６、８１６）に接着される接着面を有する第１のパネル（３０、１３０、２３０、３３０、４３０、５３０、６３０、７３０、８３０）であって、前記密封コンタクトレンズパッケージ（１２、１１２、２１２、３１２、４１２、５１２、７１２、８１２）の近位端に隣接する近位端（Ｐ）と該密封コンタクトレンズパッケージ（１２、１１２、２１２、３１２、４１２、５１２、７１２、８１２）の遠位端に隣接する遠位端（Ｄ）とを含む前記第１のパネル（３０、１３０、２３０、３３０、４３０、５３０、６３０、７３０、８３０）と、該第１のパネルの該遠位端から延びる第２のパネル（３２、１３２、２３２、３３２、４３２、７３２）と、近位端及び遠位端を含む第３のパネル（３４、１３４、２３４、３３４、４３４、７３４）であって、該遠位端が該第２のパネルに隣接している前記第３のパネル（３４、１３４、２３４、３３４、４３４、７３４）とを含み、さらに
前記外被は、（ｉ）前記固有デバイス識別子を含み、近位端及び対向する遠位端、並びに該近位端から該遠位端まで延びる左縁部及び右縁部を含む第１のパネルと、（ｉｉ）該第１のパネルの該左縁部から下る第２のパネルと、（ｉｉｉ）該第１のパネルの該右縁部から下る第３のパネルと、（ｉｖ）該第２のパネルと該第３のパネルを接続し、かつ前記ベース部材の前記空洞に隣接して位置決めされた第４のパネルとを含む
ことを特徴とするパッケージ（１０、１１０、２１０、３１０、４１０、５１０、６１０、７１０、８１０、９１０、）。
【請求項２】
前記密封コンタクトレンズパッケージに接着された前記外被の周りに延びる収縮スリーブ（６０、１１６０）を更に含むことを特徴とする請求項１に記載のパッケージ。
【請求項３】
前記収縮スリーブ（６０、１１６０）は、該収縮スリーブの開放を容易にする少なくとも１つの穿孔セグメント（６２）を含むことを特徴とする請求項２に記載のパッケージ。
【請求項４】
第１のパネル（３０、１３０、２３０、３３０、４３０、５３０、６３０、７３０、８３０）が、周囲を有し、前記接着面は、前記密封部材（１６、１１６、２１６、３１６、４１６、５１６、７１６、８１６）の形状と同じ形状を有するアクティブ接着部分と、該アクティブ接着部分と該第１のパネルの該周囲との間に配置されたデッドエンド接着部分（２４、２２４、３２４、４２４）とを含むことを特徴とする請求項２又は３に記載のパッケージ。
【請求項５】
前記第３のパネル及び第１のパネルの各々の前記近位端は、近位末端縁を有し、前記外被の前記第３のパネルの該近位末端縁は、該外被の該第１のパネルの該近位末端縁に位置合わせされることを特徴とする請求項１から請求項４のいずれか１項に記載のパッケージ。
【請求項６】
前記第３のパネル及び第１のパネルの各々の前記近位端は、近位末端縁を有し、前記外被の該第１のパネルの該近位末端縁は、該外被の該第３のパネルの該近位末端縁を覆っていることを特徴とする請求項１から請求項４のいずれか１項に記載のパッケージ。
【請求項７】
前記第３のパネル及び第１のパネルの各々の前記近位端は、近位末端縁を有し、前記外被の該第３のパネルの該近位末端縁は、該外被の該第１のパネルの該近位末端縁を覆っていることを特徴とする請求項１から請求項４のいずれか１項に記載のパッケージ。
【請求項８】
前記外被は、前記第１のパネルの前記近位縁から下る第４のパネルと、該第４のパネルに接続され、かつ前記密封コンタクトレンズパッケージの前記空洞に対して近位に位置付けられた遠位末端縁を有する第５のパネルとを更に含むことを特徴とする請求項１から請求項４のいずれか１項に記載のパッケージ。
【請求項９】
前記第５のパネルは、前記ベース部材と前記外被の前記第３のパネルとの間に位置付けられ、該外被の該第３のパネルは、該ベース部材の前記空洞を受け入れる開口部を含むことを特徴とする請求項８に記載のパッケージ。
【請求項１０】
前記第１のパネルは、近位末端縁、遠位末端縁、前記左縁部、及び前記右縁部によって定められた周囲を有する中実基板であることを特徴とする請求項９に記載のパッケージ。
【請求項１１】
前記外被は、（ｖ）前記第１のパネルの前記近位末端縁と前記第４のパネルの該近位末端縁とを接続する第５のパネルと、（ｖｉ）該第１のパネルの前記遠位末端縁と該第４のパネルの該遠位末端縁とを接続する第６のパネルとを更に含むことを特徴とする請求項１又は請求項１０に記載のパッケージ。
【請求項１２】
前記外被は、前記第１のパネル上に印刷を有する収縮スリーブであることを特徴とする請求項１又は請求項１０に記載のパッケージ。
【請求項１３】
アレイに配列され、かつ隣接するベース部材に対応する位置で前記密封部材に穿孔を有する複数の前記密封コンタクトレンズパッケージを含み、
前記外被は、密封コンタクトレンズパッケージの数に対応する複数の第１のパネルを含み、各第１のパネルが、人間可読形態及び機械可読形態の両方での前記固有デバイス識別子を有する印刷面を含む、
ことを特徴とする請求項１から請求項５のいずれか１項に記載のパッケージ。
【請求項１４】
前記密封コンタクトレンズパッケージの近位端を受け入れるスロットを含むデイスプレースタンドベース部材と、該デイスプレースタンドベース部材から該密封コンタクトレンズパッケージの遠位端に向けて延びる裏面とを更に含むことを特徴とする請求項１に記載のパッケージ。
【請求項１５】
前記外被は、前記密封コンタクトレンズパッケージの前記密封部材に接着された第１のパネルと、該第１のパネルに接着され、かつ該第１のパネルの主要部分を実質的に覆う第２のパネルであって、人間可読形態及び機械可読形態の両方での前記固有デバイス識別子を含む前記印刷面を含む前記第２のパネルとを含むことを特徴とする請求項１に記載のパッケージ。
【請求項１６】
コンタクトレンズパッケージ（１０、１１０、２１０、３１０、４１０、５１０、６１０、７１０、８１０、９１０）を製造する方法であって、
ベース部材（１８、１１８、２１８、３１８、４１８、５１８、７１８、８１８）と、密封空洞を与えるために該ベース部材に結合された密封部材（１６、１１６、２１６、３１６、４１６、５１６、７１６、８１６）と、該密封空洞内のコンタクトレンズパッケージング溶液中に与えられた未着用コンタクトレンズとを含む密封コンタクトレンズパッケージ（１２、１１２、２１２、３１２、４１２、５１２、７１２、８１２）を与える段階と、
数字又は文字又はその組合せを含む人間可読形態（４４、１４４、２４４、３４４、４４４、５４４、６４４、７４４、８４４）とバーコードを含む機械可読形態（４２、１４２、２４２、３４２、４４２、５４２、６４２、７４２、８４２）との両方での固有デバイス識別子（４０、１４０、２４０、３４０、４４０、５４０、６４０、７４０、８４０）を含む印刷面を含む少なくとも１つのパネル（３０、１３０、２３０、３３０、４３０、５３０、６３０、７３０、８３０）を含む外被（１４、１１４、２１４、３１４、４１４、５１４、６１４、７１４、８１４）を前記密封コンタクトレンズパッケージ（１２、１１２、２１２、３１２、４１２、５１２、７１２、８１２）に結合する段階と、
前記外被（１４、１１４、２１４、３１４、４１４、５１４、６１４、７１４、８１４）を前記密封部材（１６、１１６、２１６、３１６、４１６、５１６、７１６、８１６）に接着する段階と、
を含み
前記外被（１４、１１４、２１４、３１４、４１４、５１４、６１４、７１４、８１４）は、前記密封部材（１６、１１６、２１６、３１６、４１６、５１６、７１６、８１６）に接着される接着面を有する第１のパネル（３０、１３０、２３０、３３０、４３０、５３０、６３０、７３０、８３０）であって、前記密封コンタクトレンズパッケージ（１２、１１２、２１２、３１２、４１２、５１２、７１２、８１２）の近位端に隣接する近位端（Ｐ）と該密封コンタクトレンズパッケージ（１２、１１２、２１２、３１２、４１２、５１２、７１２、８１２）の遠位端に隣接する遠位端（Ｄ）とを含む前記第１のパネル（３０、１３０、２３０、３３０、４３０、５３０、６３０、７３０、８３０）と、該第１のパネルの該遠位端から延びる第２のパネル（３２、１３２、２３２、３３２、４３２、７３２）と、近位端及び遠位端を含む第３のパネル（３４、１３４、２３４、３３４、４３４、７３４）であって、該遠位端が該第２のパネルに隣接している前記第３のパネル（３４、１３４、２３４、３３４、４３４、７３４）とを含み、さらに
前記外被が、（ｉ）前記固有デバイス識別子を含み、近位端及び対向する遠位端、並びに該近位端から該遠位端まで延びる左縁部及び右縁部を含む第１のパネルと、（ｉｉ）該第１のパネルの該左縁部から下る第２のパネルと、（ｉｉｉ）該第１のパネルの該右縁部から下る第３のパネルと、（ｉｖ）該第２のパネルと該第３のパネルを接続し、かつ前記ベース部材の前記空洞に隣接して位置決めされた第４のパネルとを含む
ことを特徴とする方法。
【請求項１７】
前記ベース部材は、空洞と、該空洞を取り囲み、前記密封部材に密封面を与える実質的に平面的な面とを含む熱可塑性材料であり、
前記少なくとも１つのパネルは、前記密封コンタクトレンズパッケージの近位端に隣接する近位端と該密封コンタクトレンズパッケージの遠位端に隣接する遠位端とを含む第１のパネルであり、
前記第１のパネルの前記遠位端から延びるように前記外被の第２のパネルを折り畳む段階と、
前記外被の第３のパネルを折り畳む段階であって、該第３のパネルが、該第３のパネルの前記遠位端が前記第２のパネルに隣接するような近位端及び遠位端を含む前記折り畳む段階と、
を特徴とする請求項１６に記載の方法。
【発明の詳細な説明】
【技術分野】
【０００１】
本発明は、コンタクトレンズパッケージング及び方法に関し、より具体的には、未着用コンタクトレンズを収容する密封コンタクトレンズパックのためのパッケージング及びパッケージ化されたコンタクトレンズを製造する方法に関する。
【背景技術】
【０００２】
新たに製造されたコンタクトレンズは、多くの場合にコンタクトレンズブリスターパッケージ又はブリスターパックにパッケージ化される。例えば、新たに製造されたコンタクトレンズは、コンタクトレンズブリスターパッケージのプラスチックベース部材の空洞又はボウルに置かれることになり、コンタクトレンズパッケージング溶液が、ブリスターパッケージ空洞に与えられることになり、ホイル密封部材が、ブリスターパッケージに接着されて空洞内のパッケージング溶液中にコンタクトレンズを気密密封することになる。換言すると、コンタクトレンズの製造に使用されるコンタクトレンズブリスターパッケージは、空洞を有するベース部材と、空洞内のパッケージング溶液中に与えられた未着用コンタクトレンズと、空洞の周囲の周りに気密シールを与えるようにベース部材に対して密封された密封部材とを収容する。ブリスターパックは、１次パッケージングであると理解される。複数のブリスターパックは、次に、カートンとして置かれる。カートンは、２次パッケージングと考えられる。
【０００３】
コンタクトレンズは医療デバイスであるので、コンタクトレンズに関する情報が与えられてヘルスケア及び患者安全性をサポートするのを補助することが重要である。これは、コンタクトレンズブリスターパックを密封するのに使用される密封部材上の文字、数字、及び画像のような人間可読情報を与えることによって達成される。この人間可読情報は、典型的には、ブリスターパック上に置く前に密封部材上に事前印刷される。バーコードのような機械可読情報を含む追加の可変情報が、次に、各々が未着用コンタクトレンズを有する複数のブリスターパックを収容するカートン上に与えられる。
【先行技術文献】
【特許文献】
【０００４】
【特許文献１】ＵＳ６３９８０１８
【特許文献２】ＵＳ７４２６９９３
【特許文献３】ＵＳ７４７７３６６
【特許文献４】ＵＳ２０１２００６１２６０
【特許文献５】ＷＯ２０１３１６０６６７
【発明の概要】
【発明が解決しようとする課題】
【０００５】
取りわけ、ヘルスケア及び患者安全性の改善を補助するのに十分なコンタクトレンズ情報を維持する改善コンタクトレンズパッケージングの必要性が残っていることを認めることができる。
ＷＯ２０１３／１０９１８７は、密封可能な１次レンズパッケージと、１次レンズパッケージ内に密封された少なくとも１つのコンタクトレンズと、密封可能な２次レンズパッケージとを含むコンタクトレンズパッケージアセンブリを開示している。１次レンズパッケージは、２次レンズパッケージ内に密封されて少なくとも１つのコンタクトレンズの在庫保存期間を増大させる。２次レンズパッケージは、再密封可能にすることができる。２次レンズパッケージは、複数の１次レンズパッケージを保持するように構成することができる。２次レンズパッケージアセンブリは、２次レンズパッケージ内にかつ１次レンズパッケージの外側に密封された少なくとも１つの不活性ガスを更に含むことができる。
ＷＯ２００４／００４９３０は、その特定の順序に関連付けられた製品のランダム組立を自動的に選別して順序付けるための工程及び装置を開示している。一実施形態において、この発明は、予め決められたラベル貼付シーケンスに適合するようにランダム製品を順序つけする。
ＵＳ５７４３４０２は、食品を収容するための食品パッケージを開示している。食品パッケージは、外面及び内面を有するベースとベースから延びる側壁とを有するトレイを含む。側壁は、外面及び内面を有し、かつトレイ開口部を定める。（ｉ）ベースの外面に隣接して配置された底部セクションと、（ｉｉ）側壁の外面に隣接して配置された側部セクションと、（ｉｉｉ）側壁に固定されてトレイ開口部を実質的に覆う上部セクションとを含むスリーブが提供される。別の実施形態において、プラスチックフィルムが、トレイとスリーブの間に挿入される。
ＥＰ１２７０４４１は、カートンを形成するために結合保護囲い板、ベース、及び蓋を有する内容物のための少なくとも１つのキャリアセクションを有するパッケージング構造を開示している。キャリアは、囲い板にヒンジで結合され、ベースと蓋の間の収容静止位置と開放アクセス位置との間にフラップアクションを与える。ベース及び蓋は、その４つの側壁がベースに対して直角であるカートンの構成要素部品である。１つの側壁は、ヒンジストリップを形成し、そのためにキャリアセクションは、ヒンジストリップにおいて揺動運動を有し、突合せ側壁は、少なくとも静止位置で安定化される。キャリアセクションは、閉じ込められたパイル又はカプセルが所定位置に溶接かつ密封されたブリスターフィルムを保持する。
ＵＳ２０１３／２５５１９５は、個別１次パッケージに収容された眼科用レンズ、例えば、コンタクトレンズの２次パッケージングの方法を開示している。この方法は、レンズを各々が収容する複数の単一個別１次パッケージを与える段階と、複数の単一個別１次パッケージから取るべき、かつ２次パッケージ内にパックすべき単一個別１次パッケージの数を決定する段階とを含む。この方法は、２次パッケージ内にパックされる決められた数の単一個別１次パッケージを収容することができるサイズの２次パッケージブランクを与える段階と、決められた数の単一個別１次パッケージの各単一個別１次パッケージを２次パッケージブランク内に置く段階とを更に含む。この方法は、決められた数の単一個別１次パッケージを収容する２次パッケージブランクを折り畳んで閉じて２次パッケージを形成する段階を更に含む。
【課題を解決するための手段】
【０００６】
本発明は、この必要性に対処するものである。本明細書に説明するように、機械可読情報及び人間可読情報の両方を単一コンタクトレンズのためのパッケージ上に与えることを可能にする新しいコンタクトレンズパッケージング及びパッケージ化されたコンタクトレンズを製造する方法を説明する。換言すると、機械可読及び人間可読情報の両方は、複数のパッケージ化されたコンタクトレンズを収容するカートンの組合せと個々のコンタクトレンズパッケージとへの依存と比べて、個々のパッケージ化されたコンタクトレンズに対して今や提供することができる。これは、規制当局によって要求される場合があるような人間可読及び機械可読情報の両方を収容するには個々のブリスターパッケージの密封部材が小さすぎたので、以前は可能ではなかった。すなわち、平文形態と自動識別及びデータ補足（ＡＩＤＣ）技術を使用する形態との両方の固有デバイス識別子（ＵＤＩ）を提供するのに依然として規制当局の要件に準拠ながら、個々のパッケージ化されたコンタクトレンズをアイケア施術者（ＥＣＰ）及びコンタクトレンズ装着者などに提供することが今や可能であることになる。個々のレンズは、取りわけ、試行セット又は調整セットの一部である場合があるコンタクトレンズを含み、例えば、個々のレンズは、ＥＣＰのための調整セットのための交換レンズである場合があり、又は個々のパッケージ化されたレンズは、ＥＣＰの初期調整セットのレンズである場合がある。必要に応じて、これらの個々にパッケージ化されたコンタクトレンズは、本明細書により詳細に説明するように、同じくカートンとして与えられてコンタクトレンズマルチパックを提供することができる。
【０００７】
一般的に、本明細書に説明するように、コンタクトレンズパッケージを提供する。そのように説明するコンタクトレンズパッケージは、プラスチックベース部材とベース部材に結合された密封部材とを含み、プラスチックベース部材と密封部材の間に形成された空洞にコンタクトレンズを密封する。未着用コンタクトレンズは、空洞内のコンタクトレンズパッケージング溶液中に与えられる。この密封デバイスは、本明細書では密封コンタクトレンズパッケージ又は密封コンタクトレンズブリスターパックと呼ばれる。本発明のコンタクトレンズパッケージはまた、１又は２以上のパネルを有する外被を含む。外被は、他の要求される規制情報に加えて、密封コンタクトレンズパッケージを収容し、かつ同じく人間可読形態及び機械可読形態の両方のＵＤＩを提供するような寸法にされる。すなわち、外被は、文字、数字、及び画像のような人間可読情報を含み、外被は、バーコードなどのような機械可読情報を含む。外被は、可撓性又は剛性とすることができ、かつ本明細書に説明するように個々の密封コンタクトレンズパッケージを完全に封入又は取り囲む必要はない。外被は、外被及び密封コンタクトレンズパッケージが、個人がパッケージを開いて未着用コンタクトレンズを取り外すまで分離状態にならないように、密封コンタクトレンズパッケージに結合される。例えば、外被は、外被の面と密封部材の面の間に接着剤を使用するなどによって密封コンタクトレンズパッケージに接着することができ、又は外被は、密封コンタクトレンズパッケージの周りに物理的に包み込んで外被内に密封コンタクトレンズパッケージを機械的に封入することができる。すなわち、外被は、密封コンタクトレンズパッケージから不注意に脱落又は分離することができない。一部の実施形態において、本発明の開示による単一コンタクトレンズパッケージは、未着用コンタクトレンズを収容する密封コンタクトレンズパッケージと、密封コンタクトレンズパッケージに結合又は固定されたコンタクトレンズに対応する人間可読及びコンピュータ可読情報を有する外被とを含むか、本質的にそれから構成されるか、又はそれから構成されることを理解することができる。従って、各個々の密封コンタクトレンズパッケージは、規制当局が要求する他の情報に加えて、人間可読情報及び機械可読情報を含むＵＤＩを収容する単一外被を有する。本発明のコンタクトレンズパッケージ（すなわち、密封コンタクトレンズパッケージ及び外被）は、ＥＣＰオフィスに使用されるコンタクトレンズ調整セット又は試行セットケースの個々のレンズパッケージスロット内に収まるような寸法にされる。これに加えて、本発明のコンタクトレンズパッケージはまた、３つの密封コンタクトレンズパッケージを収容するような寸法にされたカートンのようなマルチパックカートン内に収まるような寸法にされる。
【０００８】
本発明の一態様において、コンタクトレンズパッケージを提供する。コンタクトレンズパッケージングは、密封コンタクトレンズパッケージと密封コンタクトレンズパッケージに結合された外被とを含む。密封コンタクトレンズパッケージは、ベース部材と、密封空洞を与えるようにベース部材に結合された密封部材とを含む。未着用コンタクトレンズは、密封空洞内のコンタクトレンズパッケージング溶液中に与えられる。外被は、印刷面を含む少なくとも１つのパネルを含む。印刷面は、数字又は文字又はその組合せを含む人間可読形態とバーコードを含む機械可読形態との両方の固有デバイス識別子を含む。
【０００９】
本発明の別の態様において、コンタクトレンズパッケージを製造する方法を提供する。本方法は、ベース部材と、空洞を与えるようにベース部材に結合された密封部材と、空洞内でコンタクトレンズパッケージング溶液中に与えられた未着用コンタクトレンズとを含む密封コンタクトレンズパッケージを与える段階を含む、。本方法はまた、数字又は文字又はその組合せを含む人間可読形態とバーコードを含む機械可読形態との両方の固有デバイス識別子を含む印刷面を含む少なくとも１つのパネルを含む外被を密封コンタクトレンズパッケージに結合する段階を含む。
【００１０】
本発明の他の態様及び詳細は、以下の図面、詳細説明、及び特許請求の範囲に基づいて明らかであろう。
【図面の簡単な説明】
【００１１】
【図１】３パネル式外被を有するコンタクトレンズパッケージの斜視図である。
【図２】図１のコンタクトレンズパッケージの側面図である。
【図３】図１のコンタクトレンズパッケージの上面図である。
【図４】収縮スリーブ内の図１のコンタクトレンズパッケージの底面図である。
【図５】図１のコンタクトレンズパッケージの前面図である。
【図６】図１のコンタクトレンズパッケージの後面図である。
【図７】４パネル式外被を有するコンタクトレンズパッケージの斜視図である。
【図８】図７のコンタクトレンズパッケージの側面図である。
【図９】図７のコンタクトレンズパッケージの上面図である。
【図１０】図７のコンタクトレンズパッケージの底面図である。
【図１１】図７のコンタクトレンズパッケージの前面図である。
【図１２】図７のコンタクトレンズパッケージの後面図である。
【図１３】４パネル式外被を有するコンタクトレンズパッケージの斜視図である。
【図１４】図１３のコンタクトレンズパッケージの側面図である。
【図１５】図１３のコンタクトレンズパッケージの上面図である。
【図１６】図１３のコンタクトレンズパッケージの底面図である。
【図１７】図１３のコンタクトレンズパッケージの前面図である。
【図１８】図１３のコンタクトレンズパッケージの後面図である。
【図１９】４パネル式外被を有するコンタクトレンズパッケージの斜視図である。
【図２０】図１９のコンタクトレンズパッケージの側面図である。
【図２１】図１９のコンタクトレンズパッケージの上面図である。
【図２２】図１９のコンタクトレンズパッケージの底面図である。
【図２３】図１９のコンタクトレンズパッケージの前面図である。
【図２４】図１９のコンタクトレンズパッケージの後面図である。
【図２５】４パネル式外被を有するコンタクトレンズパッケージの斜視図である。
【図２６】図２５のコンタクトレンズパッケージの側面図である。
【図２７】図２５のコンタクトレンズパッケージの上面図である。
【図２８】図２５のコンタクトレンズパッケージの底面図である。
【図２９】図２５のコンタクトレンズパッケージの前面図である。
【図３０】図２５のコンタクトレンズパッケージの後面図である。
【図３１】４パネル式外被を有するコンタクトレンズパッケージの斜視図である。
【図３２】図３１のコンタクトレンズパッケージの側面図である。
【図３３】図３１のコンタクトレンズパッケージの前面図である。
【図３４】図３１のコンタクトレンズパッケージの後面図である。
【図３５】図３１のコンタクトレンズパッケージの上面図である。
【図３６】図３１のコンタクトレンズパッケージの底面図である。
【図３７】コンタクトレンズパッケージのためのＵＤＩ外被の斜視図である。
【図３８】図３７のＵＤＩ外被パネルＡの前面図である。
【図３９】図３７のＵＤＩ外被パネルＢの前面図である。
【図４０】６パネル式外被を有するコンタクトレンズパッケージの斜視図である。
【図４１】図４０のコンタクトレンズパッケージの側面図である。
【図４２】図４０のコンタクトレンズパッケージの上面図である。
【図４３】図４０のコンタクトレンズパッケージの底面図である。
【図４４】図４０のコンタクトレンズパッケージの前面図である。
【図４５】図４０のコンタクトレンズパッケージの後面図である。
【図４６】収縮スリーブ外被を有するコンタクトレンズパッケージの斜視図である。
【図４７】図４６のコンタクトレンズパッケージの側面図である。
【図４８】図４６のコンタクトレンズパッケージの上面図である。
【図４９】図４６のコンタクトレンズパッケージの底面図である。
【図５０】図４６のコンタクトレンズパッケージの前面図である。
【図５１】図４６のコンタクトレンズパッケージの後面図である。
【図５２】図１のものと類似の密封コンタクトレンズパッケージのベース部材の包装を解いたアレイ（密封部材が取りつけられていない）及び外被のアレイの斜視図である。
【図５３】ベース部材のアレイが３パネル外被で包まれた図５２に類似の斜視図である。
【図５４】図５３のアレイの側面図である。
【図５５】図５３のアレイの上面図である。
【図５６】図５３のアレイの底面図である。
【図５７】図５３のアレイの前面図である。
【図５８】図５３のアレイの後面図である。
【図５９】コンタクトレンズパッケージを製造する方法を示す図である。
【図６０】密封コンタクトレンズパッケージの斜視図である。
【図６１】密封部材が取り外されてベース部材を示す図６０の密封コンタクトレンズパッケージの斜視図である。
【図６２】別のコンタクトレンズパッケージの別のベース部材の斜視図である。
【発明を実施するための形態】
【００１２】
本発明のコンタクトレンズパッケージは、プラスチックベース部材とベース部材に結合された密封部材とを含み、プラスチックベース部材と密封部材の間に形成された空洞内にコンタクトレンズを密封する。本明細書に使用される場合に、用語含む及び備えるは、同義語として使用され、特に除外しない限り追加の特徴要素を排除しないオープンエンドな用語である。便宜上、以下の説明は、単一コンタクトレンズのための単一コンタクトレンズパッケージの説明に着目することになるが、本発明の開示は、複数のコンタクトレンズのための複数のコンタクトレンズパッケージに適用することができることは理解されるであろう。未着用コンタクトレンズは、空洞内のコンタクトレンズパッケージング溶液中に与えられ、密封コンタクトレンズパッケージ又は密封コンタクトレンズブリスターパックを提供する。
【００１３】
本発明のコンタクトレンズパッケージに有用な密封コンタクトレンズパッケージの一例は、図６０に示されている。図６０の密封コンタクトレンズパッケージ１０１２は、プラスチックベース部材１０１８に結合された密封部材１０１６を含む。プラスチックベース部材１０１８は、密封部材１０１６がベース部材から取り外された状態で図６１に示されている。別の例示的密封コンタクトレンズパッケージ（密封部材が示されていない）は、図６２に示されている。プラスチックベース部材１１１８は空洞１１２０を有し、密封部材は、空洞１１２０の周囲に与えられて空洞内に未着用コンタクトレンズを気密密封する。これに加えて、他の従来の密封コンタクトレンズパッケージは、本明細書に説明する本発明のコンタクトレンズパッケージに使用することができる。本発明に有用な密封コンタクトレンズパッケージの例は、ＵＳ６３９８０１８、ＵＳ７４２６９９３、ＵＳ７４７７３６６、ＵＳ２０１２００６１２６０、及びＷＯ２０１３１６０６６７に説明するものを含む。
【００１４】
未着用コンタクトレンズは、密封コンタクトレンズパッケージの空洞内に密封され、コンタクトレンズパッケージング溶液中にパッケージ化される。いずれのコンタクトレンズも、そこにパッケージ化することができる。例えば、コンタクトレンズは、ヒドロゲルコンタクトレンズとすることができ、又はそれは、シリコーンヒドロゲルコンタクトレンズとすることができる。パッケージに提供することができるコンタクトレンズの例は、以下の「米国採用名称（ＵＳＡＮ）」：メタフィルコンＡ、オクフィルコンＡ、オクフィルコンＢ、オクフィルコンＣ、オクフィルコンＤ、オマフィルコンＡ、オマフィルコンＢ、コムフィルコンＡ、エンフィルコンＡ、ｓｔｅｎｆｉｌｃｏｎＡ、エタフィルコンＡ、セノフィルコンＡ、ナラフィルコンＡ、ナラフィルコンＢ、バラフィルコンＡ、ｓａｍｆｉｌｃｏｎＡ、ロトラフィルコンＡ、ロトラフィルコンＢ、ｓｏｍｏｆｉｌｃｏｎＡ、及びデレフィルコンＡなどを有するものを含む。コンタクトレンズパッケージング溶液は、典型的には、界面活性剤、湿潤剤、及び粘性剤などのような１又は２以上の添加剤を含有することができるリン酸緩衝生理食塩溶液又はホウ酸緩衝生理食塩溶液のような緩衝生理食塩溶液である。
【００１５】
本発明のコンタクトレンズパッケージはまた、１又は２以上のパネルを有する外被を含む。外被は、他の要求される規制情報に加えて、密封コンタクトレンズパッケージを収容し、人間可読形態及び／又は機械可読形態の両方でＵＤＩを提供するような寸法にされる。本明細書に使用される場合に、外被は、密封コンタクトレンズパッケージに結合された１又は２以上のパネルを含む基板又は物品を指し、人間可読形態及び機械可読形態の両方のＵＤＩは、パネルのうちの１又は２以上の上に与えられる。この外被は、「ＵＤＩ外被」であることを理解することができ、又はそれは、「ＵＤＩパネル」を有する外被であることを理解することができる。すなわち、外被は、文字、数字、及び画像のような人間可読情報を含み、外被は、バーコードなどのような機械可読情報を含む。外被は、可撓性又は剛性とすることができ、本明細書に説明するように、個々の密封コンタクトレンズパッケージを完全に封入又は取り囲む必要はない。外被は、外被及び密封コンタクトレンズパッケージが、個人がパッケージを開いて未着用コンタクトレンズを取り外すまで分離状態にならないように、密封コンタクトレンズパッケージに結合される。例えば、外被は、外被の面と密封部材の面の間で接着剤を使用するなどによって密封コンタクトレンズパッケージに接着することができ、又は物理的に密封コンタクトレンズパッケージの周りで外被を包んで、機械的に外被内の密封コンタクトレンズパッケージを封入することができる。すなわち、外被は、密封コンタクトレンズパッケージから不注意に脱落又は分離しない。一部の実施形態において、本発明の開示による単一コンタクトレンズパッケージは、未着用コンタクトレンズを収容する密封コンタクトレンズパッケージと、密封コンタクトレンズパッケージに結合又は固定されたコンタクトレンズに対応する人間可読及びコンピュータ可読情報を有する外被をと含むか、本質的にそれから構成されるか、又はそれから構成されることを理解することができる。すなわち、各個々の密封コンタクトレンズパッケージは、規制当局が要求する他の情報に加えて人間可読情報及び機械可読情報を含むＵＤＩを収容する単一外被を有する。本発明のコンタクトレンズパッケージ（すなわち、密封コンタクトレンズパッケージ及び外被）は、ＥＣＰオフィスに使用されるコンタクトレンズ調整セット又は試行セットケースの個々のレンズパッケージスロットに収まるような寸法にされる。これに加えて、本発明のコンタクトレンズパッケージはまた、３つの密封コンタクトレンズパッケージを収容するような寸法にされたカートンのようなマルチパックカートンに収まるような寸法にされる。
【００１６】
すなわち、本発明の開示の一態様は、コンタクトレンズパッケージに関することを理解することができる。コンタクトレンズパッケージは、密封コンタクトレンズパッケージと密封コンタクトレンズパッケージに結合された外被（すなわち、ＵＤＩ外被）とを含む。密封コンタクトレンズパッケージは、ベース部材と、密封空洞を与えるようにベース部材に結合された密封部材とを含む。ヒドロゲル又はシリコーンヒドロゲルコンタクトレンズのような未着用コンタクトレンズは、空洞内のコンタクトレンズパッケージング溶液中に与えられる。外被（ＵＤＩ外被）は、１又は２以上のパネルを含む。パネルのうちの１又は２以上は、人間可読形態及び機械可読形態の両方の固有デバイス識別子（ＵＤＩ）を含む印刷面を含む。人間可読形態は、数字又は文字、又は数字及び文字の組合せを含む。機械可読形態は、バーコード（１又は２以上のバーコードなど）を含む。すなわち、単一パネル上に人間可読ＵＤＩ及び機械可読ＵＤＩを提供することは理解することができる。
【００１７】
上述のように、密封コンタクトレンズパッケージのベース部材は、比較的剛性材料又は可撓性材料のような様々な構造とすることができる。図示の実施形態を含む本発明のパッケージの一部の実施形態において、密封コンタクトレンズパッケージのベース部材は、熱可塑性材料であり、ベース部材は、空洞と、空洞を取り囲む実質的な平面とを含む。実質的に平面は、密封部材に密封面を与える。ベース部材は、様々な材料から作ることができる。図示の実施形態において、ベース部材は、ポリオレフィン材料である。好ましくは、ベース部材は、ポリプロピレン材料を含む。ベース部材は、射出成形ポリプロピレン樹脂などにより、従来の方法及び機器を使用して射出成形機でベース部材モールドに形成される。密封部材はまた、様々な材料で作ることができる。例えば、密封部材は、ホイルとポリプロピレンなどのようなプラスチックの１又は２以上の層とを含む積層構造とすることができる。密封部材は、必要に応じて、何らかの人間可読情報を含むことができる。密封部材は、ベース部材の密封面を密封部材と接触させ、２つの部材を融合して空洞内のパッケージング溶液中のコンタクトレンズに密封又は気密シールを与えるために熱を印加することによってベース部材に結合される。
【００１８】
図示の実施形態の一部を含むある一定の実施形態において、外被は、外被を密封コンタクトレンズパッケージの密封部材に接着する接着剤を含む。
【００１９】
添付の図面に示すような本発明のコンタクトレンズパッケージの図示の実施形態をここで以下に参照する。
【００２０】
図１〜６は、本発明のコンタクトレンズパッケージの第１の実施形態を示している。
【００２１】
図１は、密封コンタクトレンズパッケージ１２と密封コンタクトレンズパッケージ１２に結合された外被（ＵＤＩ外被）１４とを含むコンタクトレンズパッケージ１０を示している。ベース部材１８は、密封部材１６によって気密密封された空洞２０を含む。（密封部材の詳細は、便宜上大部分の図面には示されていないが、図６０を参照して密封部材とベース部材の間の関係を理解することができる。）ヒドロゲル又はシリコーンヒドロゲルコンタクトレンズ（図示せず）のようなコンタクトレンズは、空洞２０に与えられる。図に同じく示されているのは、コンタクトレンズパッケージ１０が近位端Ｐ及び遠位端Ｄを有することであり、これは、それぞれ密封コンタクトレンズパッケージの近位端及び遠位端に対応する。言い換えれば、近位端は、指又はサムグリップを有するベース部材の部分を指し、遠位端は、反対端上のベース部材の部分を指す。外被１４は、第１のパネル３０、第２のパネル３２、及び第３のパネル３４の３つのパネルを含むように示されている。パネル配置はまた、図２に示されている。この実施形態において、外被は、カードストック又は他の同様の剛性材料から作ることができ、又はそれは、ポリプロピレンフィルムのような可撓性プラスチック材料から作ることができる。
【００２２】
図２において、第１のパネル３０が示されており、第１のパネル３０は接着面を有する。接着面は、密封コンタクトレンズパッケージの密封部材に接着される。図２に示すように、第１のパネルは、近位端Ｐ３０及び遠位端Ｄ３０を有する。近位端Ｐ３０は、密封コンタクトレンズパッケージの近位端Ｐに隣接している。遠位端Ｄ３０は、密封コンタクトレンズパッケージの遠位端に隣接している。第２のパネル３２は、第１のパネルの遠位端から延びる。第３のパネル３４も、近位端Ｐ３４及び遠位端Ｄ３４を含む。遠位端Ｄ３４は、第２のパネル３２に隣接している。
【００２３】
図３は、図１及び図２のコンタクトレンズパッケージの上面図を提供している。図３は、接着剤を第１のパネル３０上に与える方法の１つのパターンを示している。第１のパネル３０は、アクティブ接着領域２２及びデッドエンド接着領域２４を有するように示されている。アクティブ接着領域２２は、密封部材の面の全てを実質的に覆い、デッドエンド接着領域２４は、接着しないように作られ、かつ密封部材の周囲の１又は２以上の領域に与えられる。そのような配置により、個人が密封コンタクトレンズパッケージを開いて未着用コンタクトレンズにアクセスしたい時に、密封部材を用いて第１のパネル３０を確実に取り外すことができる。好ましくは、接着剤は恒久的接着剤であり、様々な接着剤を使用して第１のパネルを密封部材に結合することができる。ある一定の実施形態において、接着剤はアクリル系接着剤である。アクリル系接着剤は、Ｍａｎｔｅｒ（スペイン）又はＵＰＭ  Ｒａｆｌａｔｔａｃ，Ｉｎｃ．（ノースカロライナ、米国）などのような会社から得ることができる。本明細書に説明する他の実施形態に対して、ＵＤＩ外被を密封コンタクトレンズパッケージに結合するために接着剤を提供する時に、その接着剤は、図１〜６のこの実施形態に関して上述したように使用することができることは理解されるであろう。
【００２４】
上記議論の観点からかつ図３に示すように、本発明のコンタクトレンズパッケージの実施形態は、周囲を有する第１のパネルを有するＵＤＩ外被を含むことができ、接着面は、密封コンタクトレンズパッケージの密封部材の形状と同じ形状を有するアクティブ接着部分を含み、接着面は、アクティブ接着部分と第１のパネルの周囲の間に置かれたデッドエンド接着部分を含む。
【００２５】
図２に例示する実施形態に示すように、本発明のパッケージの実施形態は、近位末端縁を有する第１のパネル及び第３のパネルを有し、第３のパネルの近位末端縁は、第１のパネルの近位末端縁に位置合わせされる。
【００２６】
図３はまた、第１のパネル３０上に与えられたＵＤＩ４０を示している。ＵＤＩ４０は、テキスト又は数字のような人間可読形態４４、及びバーコードのような機械可読形態４２の両方で与えられる固有デバイス識別子である。これに加えて、ＵＤＩ４０に加えて、他のテキスト、数字、又はグラフィック、及び他のバーコードのような他の情報を第１のパネル３０上に与えることができる。
【００２７】
図４は、図１のコンタクトレンズパッケージ１０の底面図を提供している。しかし、コンタクトレンズパッケージ１０を封入する別の要素６０が示されている。要素６０は、密封コンタクトレンズパッケージに接着されたＵＤＩ外被の周りに延びる収縮外被又は収縮スリーブである。収縮スリーブ６０は、コンタクトレンズパッケージの側面に沿って示されている穿孔セグメント６２を含む。穿孔セグメント６２は、収縮スリーブ６０の開放を容易にする。収縮スリーブ６０は、図４に概略的に示されているが、実際には、スリーブは、コンタクトレンズパッケージにわたって比較的きついフィットを形成し、スリーブなしでコンタクトレンズパッケージの寸法を実質的に追加しないことになる。
【００２８】
これに加えて、収縮スリーブは、情報が擦られるか又は摩滅するのを防止することによって第１のパネル上に収容された情報を保護することができる。収縮スリーブはまた、取扱い及び流通中の密封コンタクトレンズパッケージとの微粒子汚染を低減するのを助けることができる。図４について説明する収縮スリーブ及び本明細書で更に説明する収縮スリーブは、あらゆる従来の材料で作ることができる。例えば、本発明のコンタクトレンズパッケージと共に使用する収縮スリーブは、２軸延伸ポリプロピレン（ＢＯＰＰ）から作ることができる。収縮スリーブは、透明であるか又は着色することができ、テキスト、数字、又はグラフィックィック画像のような印刷を含むことができる。
【００２９】
図５は、図１のコンタクトレンズパッケージ１０の前面図である。図６は、図１のコンタクトレンズパッケージの後面図である。
【００３０】
一部の実施形態において、コンタクトレンズパッケージは上述の通りであり、外被は、接着面を有する第１のパネルを含む。接着面は、密封部材に接着される。第１のパネルは、密封コンタクトレンズパッケージの近位端に隣接する近位端と、密封コンタクトレンズパッケージの遠位端に隣接する遠位端とを有する。外被はまた、第１のパネルの遠位端から延びる第２のパネルと、近位端及び遠位端を含む第３のパネルとを含み、遠位端は、第２のパネルに隣接している。
【００３１】
図４について上述したように、上述のコンタクトレンズパッケージの一部の実施形態は、密封コンタクトレンズパッケージに接着された外被の周りに延びる収縮スリーブを含むことができる。別の実施形態において、収縮スリーブは、収縮スリーブを開放するのに有効な１又は２以上の穿孔セグメントを有することができる。
【００３２】
更に別の実施形態において、第１のパネルが周囲を有し、接着面が、密封部材の形状と同じ形状を有するアクティブ接着部分を含み、第１のパネルが、アクティブ接着部分と第１のパネルの周囲の間に置かれたデッドエンド接着部分又は非接着部分を含むことを理解することができる。
【００３３】
図７〜１２は、本発明のコンタクトレンズパッケージの第２の実施形態を示している。
【００３４】
図７は、コンタクトレンズパッケージ１１０が、密封コンタクトレンズパッケージ１１２及び密封コンタクトレンズパッケージ１１２に結合された外被（ＵＤＩ外被）１１４を含むことを示している。ベース部材１１８は、密封部材１１６によって気密密封された空洞１２０を含む。ヒドロゲル又はシリコーンヒドロゲルコンタクトレンズ（図示せず）のようなコンタクトレンズは、空洞１２０に与えられる。図７に同じく示されているのは、コンタクトレンズパッケージ１１０が、それぞれ密封コンタクトレンズパッケージの近位端及び遠位端に対応する近位端Ｐ及び遠位端Ｄを有することである。言い換えれば、近位端は、指又はサムグリップを有するベース部材の部分を指し、遠位端は、反対端上のベース部材の部分を指す。外被１１４は、第１のパネル１３０、第２のパネル１３２、第３のパネル１３４、及び第４のパネル１３６の４つのパネルを含むように示されている。密封コンタクトレンズパッケージの遠位端の周りでパネルを包むことに代えて、図７の実施形態において、密封コンタクトレンズパッケージの側面の周りでパネルを包み、それによって近位端開口部及び遠位端開口部を提供する。この実施形態において、外被１１４は、カードストック又は他の同様の剛性材料で作られる。
【００３５】
図８において、第３のパネルは接着面である。接着面は、位置１３５などにおいて、密封コンタクトレンズパッケージのベース部材に接着される。図８に示すように、第１のパネルは、近位端Ｐ１３０及び遠位端Ｄ１３０を有する。近位端Ｐ１３０は、密封コンタクトレンズパッケージの近位端Ｐに隣接している。遠位端Ｄ１３０は、密封コンタクトレンズパッケージの遠位端に隣接している。第２のパネル１３２は、第１のパネルの右側から延びる。第３のパネル１３４も、近位端Ｐ１３４及び遠位端Ｄ１３４を含む。第３のパネル１３４を第１のパネル１３０に接続する第４のパネル１３６が与えられる。
【００３６】
図９は、図７及び図８のコンタクトレンズパッケージの上面図を提供している。図９はまた、第１のパネル１３０上に与えられたＵＤＩ１４０を示している。ＵＤＩ１４０は、テキスト又は数字のような人間可読形態１４４及びバーコードのような機械可読形態１４２の両方で与えられる固有デバイス識別子である。これに加えて、ＵＤＩ１４０に加えて、他のテキスト、数字、又はグラフィック、及び他のバーコードのような他の情報を第１のパネル１３０上に与えることができる。
【００３７】
図１０は、図７のコンタクトレンズパッケージ１１０の底面図を提供している。接着領域１３５は、空洞の外側底面の近くの領域において第３のパネル１３４をベース部材１１２に結合するように示されている。
【００３８】
図１１は、図７のコンタクトレンズパッケージ１１０の前面図である。図１２は、図７のコンタクトレンズパッケージの後面図である。
【００３９】
図示していないが、図１〜６の実施形態と同様に、コンタクトレンズパッケージ１１０のＵＤＩ外被１３０の周りに収縮スリーブを提供することができる。
【００４０】
図１３〜１８は、本発明のコンタクトレンズパッケージの第３の実施形態を示している。
【００４１】
図１３は、密封コンタクトレンズパッケージ２１２と密封コンタクトレンズパッケージ２１２に結合された外被（ＵＤＩ外被）２１４とを含むコンタクトレンズパッケージ２１０を示している。ベース部材２１８は、密封部材２１６によって気密密封された空洞２２０を含む。（密封部材の詳細は、便宜上大部分の図面には示されていないが、図６０を参照して密封部材とベース部材の間の関係を理解することができる。）ヒドロゲル又はシリコーンヒドロゲルコンタクトレンズ（図示せず）のようなコンタクトレンズは、空洞２２０に与えられる。図１３に同じく示されているのは、コンタクトレンズパッケージ２１０が近位端Ｐ及び遠位端Ｄを有することであり、これは、それぞれ密封コンタクトレンズパッケージの近位端及び遠位端に対応する。言い換えれば、近位端は、指又はサムグリップを有するベース部材の部分を指し、遠位端は、反対端上のベース部材の部分を指す。外被２１４は、第１のパネル２３０、第２のパネル２３２、第３のパネル２３４、及び第４のパネル２３１の４つのパネルを含むように示されている。パネル配置はまた、図１４に示されている。この実施形態において、外被は、カードストック又は他の同様の剛性材料から作ることができ、又はそれは、ポリプロピレンフィルムのような可撓性プラスチック材料から作ることができる。
【００４２】
図１４において、第１のパネル２３０が示されており、第１のパネル２３０は接着面を有する。接着面は、密封コンタクトレンズパッケージの密封部材に接着される。図１４に示すように、第１のパネルは、近位端Ｐ２３０及び遠位端Ｄ２３０を有する。近位端Ｐ２３０は、密封コンタクトレンズパッケージの近位端Ｐに隣接している。遠位端Ｄ２３０は、密封コンタクトレンズパッケージの遠位端に隣接している。第２のパネル２３２は、第１のパネルの遠位端から延びる。第３のパネル２３４も、近位端Ｐ２３４及び遠位端Ｄ２３４を含む。遠位端Ｄ３２４は、第２のパネル２３２に隣接している。第４のパネル２３１は、第１のパネル２３０の近位端Ｐ２３０に接続され、かつ第３のパネル２３４の近位端Ｐ２３４を覆うように示されている。これに加えて、タブ又は他の同様の要素は、コンタクトレンズパッケージの近位端の近くに提供することができ、タブは、密封部材がＵＤＩ外被２１４の第１のパネルに取りつけられた時に、ベース部材からの密封部材の分離を容易にするのに有効である。
【００４３】
図１５は、図１３及び図１４のコンタクトレンズパッケージの上面図を提供している。図１５は、接着剤を第１のパネル２３０上に与える方法の１つのパターンを示している。第１のパネル２３０は、アクティブ接着領域２２２及びデッドエンド接着領域２２４を有するように示されている。アクティブ接着領域２２２は、密封部材の面の全てを実質的に覆い、デッドエンド接着領域２２４は、接着しないように作られ、かつ密封部材の周囲の１又は２以上の領域に与えられる。そのような配置により、個人が密封コンタクトレンズパッケージを開いて未着用コンタクトレンズにアクセスしたい時に、密封部材を用いて第１のパネル２３０を確実に取り外すことができる。好ましくは、接着剤は恒久的接着剤であり、様々な接着剤を使用して第１のパネルを密封部材に結合することができる。ある一定の実施形態において、接着剤は、上述のようなアクリル系接着剤である。
【００４４】
上記議論の観点からかつ図１５に示すように、本発明のコンタクトレンズパッケージの実施形態は、周囲を有する第１のパネルを有するＵＤＩ外被を含むことができ、接着面は、密封コンタクトレンズパッケージの密封部材の形状と同じ形状を有するアクティブ接着部分を含み、接着面は、アクティブ接着部分と第１のパネルの周囲の間に置かれたデッドエンド接着部分を含む。
【００４５】
図１４に例示する実施形態に示すように、本発明のパッケージの実施形態は、近位末端縁を有する第１のパネル及び第３のパネルを有し、第３のパネルの近位末端縁は、第１のパネルの近位末端縁に位置合わせされる。
【００４６】
図１５はまた、第１のパネル２３０上に与えられたＵＤＩ２４０を示している。ＵＤＩ２４０は、テキスト又は数字のような人間可読形態２４４及びバーコードのような機械可読形態２４２の両方で与えられる固有デバイス識別子である。これに加えて、ＵＤＩ４０に加えて、他のテキスト、数字、又はグラフィック、及び他のバーコードのような他の情報を第１のパネル２３０上に与えることができる。
【００４７】
図１６は、図１３のコンタクトレンズパッケージ２１０の底面図を提供している。図４に関して上述したように、コンタクトレンズパッケージ２１０は、密封コンタクトレンズパッケージに接着されたＵＤＩ外被の周りに延びる収縮外被又は収縮スリーブを含むことができる。収縮スリーブは、コンタクトレンズパッケージの側面に沿って穿孔セグメント６２を含むことができる。穿孔セグメントは、収縮スリーブの開放を容易にする。収縮スリーブは、コンタクトレンズパッケージにわたって比較的きついフィットを形成し、スリーブなしでコンタクトレンズパッケージの寸法を実質的に追加しないことになる。
【００４８】
これに加えて、収縮スリーブは、情報が擦られるか又は摩滅するのを防止することによって第１のパネル上に収容された情報を保護することができる。収縮スリーブはまた、取扱い及び流通中の密封コンタクトレンズパッケージとの微粒子汚染を低減するのを助けることができる。
【００４９】
図１７は、図１３のコンタクトレンズパッケージ２１０の前面図である。図１８は、図１３のコンタクトレンズパッケージの後面図である。
【００５０】
図１３〜１８の実施形態の説明の観点から、一部の実施形態は、近位末端縁を有する第１のパネル及び近位末端縁を有する第３のパネルを有し、外被の第１のパネルの近位末端縁は、第３パネル外被の近位末端縁を覆うことを理解することができる。
【００５１】
図１９〜２４は、本発明のコンタクトレンズパッケージの第４の実施形態を示している。
【００５２】
図１９は、密封コンタクトレンズパッケージ３１２と密封コンタクトレンズパッケージ３１２に結合された外被（ＵＤＩ外被）３１４とを含むコンタクトレンズパッケージ３１０示している。ベース部材３１８は、密封部材３１６によって気密密封された空洞３２０を含む。（密封部材の詳細は、便宜上大部分の図面には示されていないが、図６０を参照して密封部材とベース部材の間の関係を理解することができる。）ヒドロゲル又はシリコーンヒドロゲルコンタクトレンズ（図示せず）のようなコンタクトレンズは、空洞３２０に与えられる。図１９に同じく示されているのは、コンタクトレンズパッケージ３１０が近位端Ｐ及び遠位端Ｄを有することであり、これは、それぞれ密封コンタクトレンズパッケージの近位端及び遠位端に対応する。言い換えれば、近位端は、指又はサムグリップを有するベース部材の部分を指し、遠位端は、反対端上のベース部材の部分を指す。外被３１４は、第１のパネル３３０、第２のパネル３３２、第３のパネル３３４、及び第４のパネル３３１の４つのパネルを含むように示されている。パネル配置はまた、図２０に示されている。この実施形態において、外被は、カードストック又は他の同様の剛性材料から作ることができ、又はそれは、ポリプロピレンフィルムのような可撓性プラスチック材料から作ることができる。
【００５３】
図２０において、第１のパネル３３０が示されており、第１のパネル３３０は接着面を有する。接着面は、密封コンタクトレンズパッケージの密封部材に接着される。図２０に示すように、第１のパネルは、近位端Ｐ３３０及び遠位端Ｄ３３０を有する。近位端Ｐ３３０は、密封コンタクトレンズパッケージの近位端Ｐに隣接している。遠位端Ｄ３３０は、密封コンタクトレンズパッケージの遠位端に隣接している。第２のパネル３３２は、第１のパネルの遠位端から延びる。第３のパネル３３４も、近位端Ｐ３３４及び遠位端Ｄ３３４を含む。遠位端Ｄ３３４は、第２のパネル３３２に隣接している。第４のパネル３３１は、第３のパネル３３４の近位端Ｐ３３４に接続され、第１のパネル３３０の近位端Ｐ３３０を覆うように示されている。
【００５４】
図２１は、図１９及び図２０のコンタクトレンズパッケージの上面図を提供している。図２１は、接着剤を第１のパネル３３０上に与える方法の１つのパターンを示している。第１のパネル３３０は、アクティブ接着領域３２２及びデッドエンド接着領域３２４を有するように示されている。アクティブ接着領域３２２は、密封部材の面の全てを実質的に覆い、デッドエンド接着領域３２４は、接着しないように作られ、密封部材の周囲の１又は２以上の領域に与えられる。そのような配置により、個人が密封コンタクトレンズパッケージを開いて未着用コンタクトレンズにアクセスしたい時に、密封部材を用いて第１のパネル３３０を確実に取り外すことができる。好ましくは、接着剤は恒久的接着剤であり、様々な接着剤を使用して、第１のパネルを密封部材に結合することができる。ある一定の実施形態において、接着剤は、上述のようなアクリル系接着剤である。
【００５５】
上記議論の観点からかつ図２１に示すように、本発明のコンタクトレンズパッケージの実施形態は、周囲を有する第１のパネルを有するＵＤＩ外被を含むことができ、接着面は、密封コンタクトレンズパッケージの密封部材の形状と同じ形状を有するアクティブ接着部分を含み、接着面は、アクティブ接着部分と第１のパネルの周囲の間に置かれたデッドエンド接着部分を含む。
【００５６】
図２０に例示する実施形態に示すように、本発明のパッケージの実施形態は、近位末端縁を有する第１のパネル及び第３のパネルを有し、第３のパネルの近位末端縁は、第１のパネルの近位末端縁に位置合わせされる。
【００５７】
図２１はまた、第１のパネル３３０上に与えられたＵＤＩ３４０を示している。ＵＤＩ３４０は、テキスト又は数字のような人間可読形態３４４及びバーコードのような機械可読形態３４２の両方で与えられる固有デバイス識別子である。これに加えて、ＵＤＩ３４０に加えて、他のテキスト、数字、又はグラフィック、及び他のバーコードのような他の情報を第１のパネル３３０上に与えることができる。
【００５８】
図２２は、図１９のコンタクトレンズパッケージ３１０の底面図を提供している。図４に関して上述したように、コンタクトレンズパッケージ３１０は、密封コンタクトレンズパッケージに接着されたＵＤＩ外被の周りに延びる収縮外被又は収縮スリーブを含むことができる。収縮スリーブは、コンタクトレンズパッケージの側面に沿って穿孔セグメントを含むことができる。穿孔セグメントは、収縮スリーブの開放を容易にする。収縮スリーブは、コンタクトレンズパッケージにわたって比較的きついフィットを形成し、スリーブなしでコンタクトレンズパッケージの寸法を実質的に追加しないことになる。
【００５９】
これに加えて、収縮スリーブは、情報が擦られるか又は摩滅するのを防止することによって第１のパネル上に収容された情報を保護することができる。収縮スリーブはまた、取扱い及び流通中の密封コンタクトレンズパッケージとの微粒子汚染を低減するのを助けることができる。
【００６０】
図２３は、図１９のコンタクトレンズパッケージ３１０の前面図である。図２４は、図１９のコンタクトレンズパッケージの後面図である。
【００６１】
図１９〜２４の実施形態の説明の観点から、一部の実施形態は、近位末端縁を有する第１のパネル及び近位末端縁を有する第３のパネルを有し、外被の第３のパネルの近位末端縁は、第１パネル外被の近位末端縁を覆うことを理解することができる。
【００６２】
図２５〜３０は、本発明のコンタクトレンズパッケージの第５の実施形態を示している。
【００６３】
図２５は、密封コンタクトレンズパッケージ４１２と密封コンタクトレンズパッケージ４１２に結合された外被（ＵＤＩ外被）４１４とを含むコンタクトレンズパッケージ４１０を示している。ベース部材４１８は、密封部材４１６によって気密密封された空洞４２０を含む。（密封部材の詳細は、便宜上大部分の図面には示されていないが、図６０を参照して密封部材とベース部材の間の関係を理解することができる。）ヒドロゲル又はシリコーンヒドロゲルコンタクトレンズ（図示せず）のようなコンタクトレンズは、空洞４２０に与えられる。図２５に同じく示されているのは、コンタクトレンズパッケージ４１０が近位端Ｐ及び遠位端Ｄを有することであり、これは、それぞれ密封コンタクトレンズパッケージの近位端及び遠位端に対応する。言い換えれば、近位端は、指又はサムグリップを有するベース部材の部分を指し、遠位端は、反対端上のベース部材の部分を指す。外被４１４は、第１のパネル４３０、第２のパネル４３２、第３のパネル４３４、第４のパネル４３７、及び第５のパネル４３６の５つのパネルを含むように示されている。パネル配置はまた、図２６に示されている。この実施形態において、外被は、カードストック又は他の同様の剛性材料から作ることができ、又はそれは、ポリプロピレンフィルムのような可撓性プラスチック材料から作ることができる。好ましくは、外被はカードストックである。
【００６４】
図２６において、第１のパネル４３０が示されており、第１のパネル４３０は接着面を有する。接着面は、密封コンタクトレンズパッケージの密封部材に接着される。図２６に示すように、第１のパネルは、近位端Ｐ４３０及び遠位端Ｄ４３０を有する。近位端Ｐ４３０は、密封コンタクトレンズパッケージの近位端Ｐに隣接している。遠位端Ｄ４３０は、密封コンタクトレンズパッケージの遠位端に隣接している。第２のパネル４３２は、第１のパネルの遠位端から延びる。第３のパネル４３４も、近位端Ｐ４３４及び遠位端Ｄ４３４を含む。遠位端Ｄ４３４は、第２のパネル４３２に隣接している。第４のパネル４３７は、第１のパネル４３０の近位端Ｐ４３０に接続され、第３のパネル４３４の近位端Ｐ４３４まで下向きに延びるように示されている。第５のパネル４３６は、第４のパネル４３７の垂下縁部から延び、かつ近位端Ｐ４３４が第４のパネル４３７の垂下縁部に隣接するように第３のパネル４３４によって覆われる。第３のパネル４３４はまた、開口部又は切欠き部４３８（図２８）を含み、ベース部材４１８の少なくとも一部分が開口部４３８を通って延びることを可能にする。
【００６５】
図２７は、図２５及び図２６のコンタクトレンズパッケージの上面図を提供している。図２７は、接着剤を第１のパネル４３０上に与える方法の１つのパターンを示している。第１のパネル４３０は、アクティブ接着領域４２２及びデッドエンド接着領域４２４を有するように示されている。アクティブ接着領域４２２は、密封部材の面の全てを実質的に覆い、デッドエンド接着領域４２４は、接着しないように作られ、密封部材の周囲の１又は２以上の領域に与えられる。そのような配置により、個人が密封コンタクトレンズパッケージを開いて未着用コンタクトレンズにアクセスしたい時に、密封部材を用いて第１のパネル４３０を確実に取り外すことができる。好ましくは、接着剤は恒久的接着剤であり、様々な接着剤を使用して、第１のパネルを密封部材に結合することができる。ある一定の実施形態において、接着剤は、上述のようなアクリル系接着剤である。
【００６６】
上記議論の垂観点からかつ図２７に示すように、本発明のコンタクトレンズパッケージの実施形態は、周囲を有する第１のパネルを有するＵＤＩ外被を含むことができ、接着面は、密封コンタクトレンズパッケージの密封部材の形状と同じ形状を有するアクティブ接着部分を含み、接着面は、アクティブ接着部分と第１のパネルの周囲の間に置かれたデッドエンド接着部分を含む。
【００６７】
図２６に例示する実施形態に示すように、本発明のパッケージの実施形態は、近位末端縁を有する第１のパネル及び第３のパネルを有し、第３のパネルの近位末端縁は、第１のパネルの近位末端縁に位置合わせされる。
【００６８】
図２７はまた、第１のパネル４３０上に与えられたＵＤＩ４４０を示している。ＵＤＩ４４０は、テキスト又は数字のような人間可読形態４４４及びバーコードのような機械可読形態４４２の両方で与えられる固有デバイス識別子である。これに加えて、ＵＤＩ４４０に加えて、他のテキスト、数字、又はグラフィック、及び他のバーコードのような他の情報を第１のパネル４３０上に与えることができる。
【００６９】
図２８は、図２５のコンタクトレンズパッケージ４１０の底面図を提供している。図４に関して上述したように、コンタクトレンズパッケージ４１０は、密封コンタクトレンズパッケージに接着されたＵＤＩ外被の周りに延びる収縮外被又は収縮スリーブを含むことができる。収縮スリーブは、コンタクトレンズパッケージの側面に沿って穿孔セグメントを含むことができる。穿孔セグメントは、収縮スリーブの開放を容易にする。収縮スリーブは、コンタクトレンズパッケージにわたって比較的きついフィットを形成し、スリーブなしでコンタクトレンズパッケージの寸法を実質的に追加しないことになる。
【００７０】
これに加えて、収縮スリーブは、情報が擦られるか又は摩滅するのを防止することによって第１のパネル上に収容された情報を保護することができる。収縮スリーブはまた、取扱い及び流通中の密封コンタクトレンズパッケージとの微粒子汚染を低減するのを助けることができる。しかし、外被内の密封コンタクトレンズパッケージの追加の固定は、密封コンタクトレンズパッケージ４１８の空洞部分を受け入れる開口部４３８によって達成されるので、収縮スリーブはこの実施形態に対しては任意的であることを理解することができる。
【００７１】
これに加えて、これらの実施形態の一部のバージョンにおいて、接着剤は、開口部４３８によって与えられる密封コンタクトレンズパッケージの保持により任意的とすることができる。
【００７２】
図２９は、図２５のコンタクトレンズパッケージ４１０の前面図である。図３０は、図２５のコンタクトレンズパッケージの後面図である。
【００７３】
図２５〜３０の実施形態の説明から認めることができるように、本発明のコンタクトレンズパッケージの一部の実施形態は、第１のパネルの近位縁から下る第４のパネルと第４のパネルに接続された第５のパネルとを更に含む外被を含むことを理解することができる。第５のパネルは、密封コンタクトレンズパッケージの空洞に対してより近位に位置付けられた遠位末端縁を有する。更に別の実施形態において、第５のパネルは、ベース部材と外被の第３のパネルとの間に位置付けられ、外被の第３のパネルは、ベース部材の空洞又は底部を受け入れる開口部を含む。
【００７４】
図３１〜３６は、本発明のコンタクトレンズパッケージの第６の実施形態を示している。
【００７５】
図３１は、密封コンタクトレンズパッケージ５１２と密封コンタクトレンズパッケージ５１２に結合された外被（ＵＤＩ外被）５１４とを含むコンタクトレンズパッケージ５１０を示している。ベース部材５１８は、密封部材５１６によって気密密封された空洞５２０を含む。（密封部材の詳細は、便宜上大部分の図面には示されていないが、図６０を参照して密封部材とベース部材の間の関係を理解することができる。）ヒドロゲル又はシリコーンヒドロゲルコンタクトレンズ（図示せず）のようなコンタクトレンズは、空洞５２０に与えられる。外被５１４は、１つのパネル５３０を含むように示されている。この実施形態において、外被は、カードストック又は他の同様の剛性材料から作ることができ、又はそれは、ポリプロピレンフィルムのような可撓性プラスチック材料から作ることができる。好ましくは、外被は、可撓性プラスチック材料である。
【００７６】
コンタクトレンズパッケージ５１０は、密封コンタクトレンズパッケージの近位端を受け入れるスロット５５２を含むデイスプレースタンドベース部材５５０と、密封コンタクトレンズパッケージの遠位端に向けてデイスプレースタンドベース部材５５０から延びる裏面５５４とを更に含む。
【００７７】
図３２において、コンタクトレンズパッケージ５１０の側面図を例示している。密封コンタクトレンズパッケージ５１２は、スロット５５２の周囲縁部との物理的係合によってベース部材５５０に機械的に結合することができるが、接着剤５５６をベース部材５１８と裏面５５４の間に提供することができる。露出された後面５５５は、裏面５５４に対向する。上述のように、あらゆる適切な接着剤を使用して、ＵＤＩ外被５１４を有する密封コンタクトレンズパッケージをベース部材５５０又は裏面５５４に更に固定することができる。
【００７８】
図３３は、図３１及び図３２のコンタクトレンズパッケージの前面図を提供している。上述の実施形態と同様に、接着剤は、密封部材５１６の形状に対応するアクティブ領域と、デッドエンド領域とに与えることができる。図３３はまた、第１のパネル５３０上に与えられたＵＤＩ５４０を示している。ＵＤＩ５４０は、テキスト又は数字のような人間可読形態５４４及びバーコードのような機械可読形態５４２の両方で与えられる固有デバイス識別子である。これに加えて、ＵＤＩ５４０に加えて、他のテキスト、数字、又はグラフィック、及び他のバーコードのような他の情報を第１のパネル５３０上に与えることができる。
【００７９】
上記議論の垂観点からかつ図３３に示すように、本発明のコンタクトレンズパッケージの実施形態は、周囲を有する第１のパネルを有するＵＤＩ外被を含むことができ、接着面は、密封コンタクトレンズパッケージの密封部材の形状と同じ形状を有するアクティブ接着部分を含み、接着面は、アクティブ接着部分と第１のパネルの周囲との間に置かれたデッドエンド接着部分を含む。
【００８０】
図３４は、図３１のコンタクトレンズパッケージ５１０の底面図を提供している。この図において、露出された後面５５５は、コンタクトレンズに対して規制当局によって要求される場合がある文字及び数字のような人間可読情報を含む。図４に関して上述したように、コンタクトレンズパッケージ５１０は、密封コンタクトレンズパッケージに接着されたＵＤＩ外被、又はＵＤＩ外被付き密封コンタクトレンズパッケージ及びベース部材組合せの周りに延びる収縮外被又は収縮スリーブ、含むことができる。収縮スリーブは、コンタクトレンズパッケージの側面に沿って穿孔セグメントを含むことができる。穿孔セグメントは、収縮スリーブの開放を容易にする。収縮スリーブは、コンタクトレンズパッケージにわたって比較的きついフィットを形成し、スリーブなしでコンタクトレンズパッケージの寸法を実質的に追加しないことになる。
【００８１】
これに加えて、収縮スリーブは、情報が擦られるか又は摩滅するのを防止することによって第１のパネル上に収容された情報を保護することができる。収縮スリーブはまた、取扱い及び流通中の密封コンタクトレンズパッケージとの微粒子汚染を低減するのを助けることができる。しかし、外被内の密封コンタクトレンズパッケージの追加の固定が、ＵＤＩ外被付き密封コンタクトレンズパッケージの近位部分を受け入れるスロット５５２によって達成されるので、収縮スリーブはこの実施形態に対しては任意的であることを理解することができる。
【００８２】
図３５は、図３１のコンタクトレンズパッケージ５１０の上面図である。図３６は、図３１のコンタクトレンズパッケージの底面図である。
【００８３】
図３１〜３６の実施形態に説明するように、コンタクトレンズパッケージは、密封コンタクトレンズパッケージの近位端を受け入れるスロットを含むデイスプレースタンドベース部材と、密封コンタクトレンズパッケージのデイスプレースタンドベース部材から遠位端に向けて延びる裏面とを含むことを理解することができる。
【００８４】
図３７〜３９は、本発明のコンタクトレンズパッケージの第７の実施形態、特に、コンタクトレンズパッケージの外被を示している。
【００８５】
図３７は、コンタクトレンズパッケージ６１０（密封コンタクトレンズパッケージは、便宜上示されていない）を示している。この実施形態において、外被６１４は、２つのパネル外被である。外被は、第１のパネル６３０及び第２のパネル６５５を含む。第１のパネル６３０は第２のパネル６５５を覆い、パネルが互いに結合されたままにすることを可能にするように接着剤を含む。第１のパネル６３０はまた、人間可読情報６４４及びコンピュータ可読情報６４２を含むＵＤＩ６４０を含む。第２のパネル６５５は、コンタクトレンズに対して規制当局によって要求される場合がある文字及び数字のような人間可読情報を含む。第２のパネル６５５は、本明細書に説明するように第２のパネルを密封コンタクトレンズパッケージの密封部材に結合する恒久的接着剤を含む。第１のパネル６３０も、接着剤を含み、第１のパネルを第２のパネル６５５に取りつけ、かつ必要に応じてそこに収容された情報にアクセスするために第２のパネルからの第１のパネルの分離を可能にする。
【００８６】
図４に関して上述したように、コンタクトレンズパッケージ６１０は、密封コンタクトレンズパッケージに接着されたＵＤＩ外被の周りに延びる収縮外被又は収縮スリーブを含むことができる。収縮スリーブは、コンタクトレンズパッケージの側面に沿って穿孔セグメントを含むことができる。穿孔セグメントは、収縮スリーブの開放を容易にする。収縮スリーブは、コンタクトレンズパッケージにわたって比較的きついフィットを形成し、スリーブなしでコンタクトレンズパッケージの寸法を実質的に追加しないことになる。
【００８７】
図３７〜３９の実施形態は、外被が、密封コンタクトレンズパッケージの密封部材に接着された第１のパネルと第１のパネルに接着された第２のパネルとを含む実施形態を示している。第２のパネルは、第１のパネルの主要部分を覆う。第２のパネルは、人間可読形態及び機械可読形態の両方の固有デバイス識別子を含む印刷面を含む。
【００８８】
図４０〜４５は、本発明のコンタクトレンズパッケージの第８の実施形態を示している。
【００８９】
図４０は、密封コンタクトレンズパッケージ７１２と密封コンタクトレンズパッケージ７１２に結合された外被（ＵＤＩ外被）７１４とを含むコンタクトレンズパッケージ７１０を示している。ベース部材７１８は、密封部材７１６によって気密密封された空洞７２０を含む。ヒドロゲル又はシリコーンヒドロゲルコンタクトレンズ（図示せず）のようなコンタクトレンズは、空洞７２０に与えられる。図４０に同じく示されているのは、コンタクトレンズパッケージ７１０が近位端Ｐ及び遠位端Ｄを有することであり、これは、それぞれ密封コンタクトレンズパッケージの近位端及び遠位端に対応する。言い換えれば、近位端は、指又はサムグリップを有するベース部材の部分を指し、遠位端は、反対端上のベース部材の部分を指す。外被７１４は、第１のパネル７３０、第２のパネル７３２、第３のパネル７３４、第４のパネル７３６、第５のパネル３７５、及び第６のパネル７３７の６つのパネルを含むように示されている。密封コンタクトレンズパッケージの遠位端の周囲のみ、又は密封コンタクトレンズパッケージの側面の周囲のみでパネルを包むことに代えて、図４０の実施形態において、パネルは、密封コンタクトレンズパッケージの側面の全ての周りでパネルを包み、それによって封入されたＵＤＩ外被７１４内の密封コンタクトレンズパッケージを提供する。この実施形態において、外被７１４は、カードストック又は他の同様の剛性材料で作られる。
【００９０】
図４１に示すように、第１のパネルは、近位端Ｐ７３０及び遠位端Ｄ７３０を有する。近位端Ｐ７３０は、密封コンタクトレンズパッケージの近位端Ｐに隣接している。遠位端Ｄ７３０は、密封コンタクトレンズパッケージの遠位端に隣接している。第２のパネル７３２は、第１のパネルの右側から延びる。第３のパネル７３４も、近位端Ｐ７３４及び遠位端Ｄ７３４を含む。密封コンタクトレンズパッケージは外被７１４に封入されないので、接着剤は必要ないが、接着剤を使用して、ベース部材７１８の底部と第３のパネル７３４の間又は第１のパネル７３０と密封部材７１６の間のような追加のカプリングを提供することができる。
【００９１】
図４２は、図４０及び図４１のコンタクトレンズパッケージの上面図を提供している。図４２はまた、第１のパネル７３０上に与えられたＵＤ１７４０を示している。ＵＤＩ７４０は、テキスト又は数字のような人間可読形態７４４及びバーコードのような機械可読形態７４２の両方で与えられる固有デバイス識別子である。これに加えて、ＵＤＩ７４０に加えて、他のテキスト、数字、又はグラフィック、及び他のバーコードのような他の情報を第１のパネル７３０上に与えることができる。
【００９２】
図４３は、図４０のコンタクトレンズパッケージ７１０の底面図を提供している。図４４は、図４０のコンタクトレンズパッケージ７１０の前面図である。図４５は、図４０のコンタクトレンズパッケージの後面図である。
【００９３】
図示していないが、図１〜６の実施形態と同様に、収縮スリーブは、コンタクトレンズパッケージ７１０のＵＤＩ外被７３０の周りに提供することができる。
【００９４】
図７〜１２及び図４０〜４５の実施形態を含む本発明のコンタクトレンズパッケージの追加の実施形態は、（ｉ）固有デバイス識別子を含み、近位端及び対向する遠位端、並びに近位端から遠位端に延びる左縁部及び右縁部を含む第１のパネルと、（ｉｉ）第１のパネルの上述の左縁部から下る第２のパネルと、（ｉｉｉ）第１のパネルの上述の右縁部から下る第３のパネルと、（ｉｖ）第２のパネルと第３のパネルを接続し、かつベース部材の空洞に隣接して位置決めされた第４のパネルとを含むことを理解することができる。
【００９５】
上述の４パネル式実施形態の一部において、第１のパネルは、近位末端縁、遠位末端縁、左縁部、及び右縁部によって定められる周囲を有する中実基板である。換言すると、第１のパネルは、窓、開口部、又は他の透明部材を含まない。
【００９６】
図４０〜４５に示すような更に別の実施形態において、外被は、第１のパネルの近位末端縁と第４のパネルの近位末端縁を接続する第５のパネルと、第１のパネルの遠位末端縁と第４のパネルの遠位末端縁を接続する第６のパネルとを含むことができる。
【００９７】
図４６〜５１は、本発明のコンタクトレンズパッケージの第９の実施形態を示している。
【００９８】
図４６は、密封コンタクトレンズパッケージ８１２と密封コンタクトレンズパッケージ８１２に結合された外被（ＵＤＩ外被）８１４とを含むコンタクトレンズパッケージ８１０を示している。ベース部材８１８は、密封部材８１６によって気密密封された空洞８２０を含む。（密封部材の詳細は、便宜上大部分の図面には示されていないが、図６０を参照して密封部材とベース部材の間の関係を理解することができる。）ヒドロゲル又はシリコーンヒドロゲルコンタクトレンズ（図示せず）のようなコンタクトレンズは、空洞８２０に与えられる。図４６に同じく示されているのは、コンタクトレンズパッケージ８１０が近位端Ｐ及び遠位端Ｄを有することであり、これは、それぞれ密封コンタクトレンズパッケージの近位端及び遠位端に対応する。言い換えれば、近位端は、指又はサムグリップを有するベース部材の部分を指し、遠位端は、反対端上のベース部材の部分を指す。外被８１４は、第１のパネル８３０及び第２のパネル８３４の２つのパネルを含むように示されている。パネル配置はまた、図４７に示されている。この実施形態において、外被は、ポリプロピレンフィルムのような可撓性プラスチック材料、又はカードストック及び可撓性プラスチック材料の組合せから作ることができる（例えば、パネル８３０はカードストックとすることができ、パネル８３４は可撓性プラスチック材料とすることができる）。好ましい実施形態において、外被８１４は、２軸延伸ポリプロピレン（ＢＯＰＰ）から作られる収縮スリーブである。
【００９９】
図４６に示すように、第１のパネルは、近位端Ｐ８３０及び遠位端Ｄ８３０を有する。近位端Ｐ８３０は、密封コンタクトレンズパッケージの近位端Ｐに隣接している。遠位端Ｄ８３０は、密封コンタクトレンズパッケージの遠位端に隣接している。第２のパネル８３４は、近位端Ｐ８３４及び遠位端Ｄ８３４を含む。
【０１００】
図４８は、図４６及び図４７のコンタクトレンズパッケージの上面図を提供している。ＵＤＩ８４０は、第１のパネル上に与えられる。ＵＤＩ８４０は、テキスト又は数字のような人間可読形態８４４及びバーコードのような機械可読形態８４２の両方で与えられる固有デバイス識別子である。これに加えて、ＵＤＩ８４０に加えて、他のテキスト、数字、又はグラフィック、及び他のバーコードのような他の情報を第１のパネル８３０上に与えることができる。好ましくは、ＵＤＩ８４０は、収縮スリーブ材料の上に直接に印刷される。収縮スリーブは、それを密封コンタクトレンズパッケージ８１２に結合する前に存在する何らかの事前印刷情報を含むことができ、次に、それには、密封コンタクトレンズパッケージに結合した後にＵＤＩ情報を含む様々な情報を印刷することができる。
【０１０１】
図４９は、図４６のコンタクトレンズパッケージ８１０の底面図を提供している。図５０は、図４６のコンタクトレンズパッケージ８１０の前面図である。図５１は、図４６のコンタクトレンズパッケージの後面図である。
【０１０２】
図４６〜５１の説明から認めることができるように、コンタクトレンズパッケージの一部の実施形態は、第１のパネル上の印刷を有する収縮スリーブである外被を含むことができる。
【０１０３】
本発明のコンタクトレンズパッケージは、個々のコンタクトレンズパッケージがコンタクトレンズ試行セット又は調整セット容器に収まることができるような寸法にされるか又は大きさにされ、かつそのように成形される。すなわち、コンタクトレンズパッケージの外被は、密封コンタクトレンズパッケージの寸法を実質的に増大させるべきではない。しかし、本発明のコンタクトレンズパッケージ内で様々な寸法が具現化される。例えば、本発明のコンタクトレンズパッケージは、約２５ｍｍ〜約４０ｍｍの最大幅を有することができる。一部の実施形態において、最大幅は約３０ｍｍ〜４０ｍｍである。コンタクトレンズパッケージの最大長は、約４０ｍｍ〜約７０ｍｍで変えることができる。一部の実施形態において、コンタクトレンズパッケージは、約５０ｍｍ〜約６０ｍｍの最大長を有する。少なくとも１つの実施形態において、パッケージの最大幅は、３３〜３５ｍｍとすることができ、パッケージの最大長は、５４〜５６ｍｍとすることができる。ＵＤＩ情報を含む印刷情報は、パッケージの寸法に収まり、かつ依然として情報の周りに未印刷境界を提供すべきである。上記パッケージ寸法の点から見て好ましい印刷寸法の一例は、約幅２５ｍｍ及び長さ４５ｍｍである。コンタクトレンズパッケージの最大高さは、典型的には、５ｍｍ〜２５ｍｍである。一部の実施形態において、コンタクトレンズパッケージの最大高さは、約１０ｍｍ〜約２０ｍｍである。この最大高さは、典型的には、密封コンタクトレンズパッケージの空洞の近くのパッケージの領域に対応する。
【０１０４】
本明細書に示すように、本発明のコンタクトレンズパッケージはまた、１よりも多いコンタクトレンズパッケージのアレイで提供することができる。一例として、コンタクトレンズパッケージのアレイは、アレイを形成するように互いに結合された２つ、３つ、４つ、又は５つのコンタクトレンズパッケージから構成される場合がある。追加の例は、互いに結合された５よりも多いコンタクトレンズパッケージを含むことができる。アレイにおいて、コンタクトレンズパッケージは、少なくとも１つの他のコンタクトレンズパッケージに隣接して位置決めされる。アレイにおいて、パッケージのアレイのコンタクトレンズパッケージの各々は、ベース部材と、それに対してかつ本明細書に説明するように単一パッケージに対して密封された密封部材とを含む。コンタクトレンズパッケージのアレイはまた、本明細書に説明するように、密封コンタクトレンズパッケージのアレイに結合されたＵＤＩ外被を含む。一例として、アレイにおいて、個々のベース部材の各密封部材は、密封層の構成要素であることを理解することができる。密封層は、コンタクトレンズパッケージのアレイ全体を張っている。個々の密封パッケージは、２つの密封コンタクトレンズパッケージの間に与えられた穿孔に沿ってアレイから分離することができる。
【０１０５】
図５２は、組立前のコンタクトレンズパッケージのアレイ９１０を示している。本明細書の図示及び説明から理解されるように、ベース部材９１８のアレイが提供され、各ベース部材は空洞９２０を有する。アレイ外被９１４は、３つのパネル９３０、９３２、９３４を有するように示されている。この実施形態は、図１〜６の３つのパネルの実施形態に類似している。穿孔９３５は、アレイ外被９１４の２つの外被の間に与えられ、かつベース部材９１８のアレイを覆う密封層（図示せず）の密封部材の間の穿孔の位置に対応する。
【０１０６】
図５３〜５８は、図５２に関して上述したようなコンタクトレンズパッケージの組み立てられたアレイである本発明のコンタクトレンズパッケージの第１０の実施形態を示している。
【０１０７】
図５３は、対応する数の外被９１４に結合された複数の密封コンタクトレンズパッケージ（例えば、この実施形態では５つ）を含むコンタクトレンズパッケージアレイ９１０を示している。各外被９１４は、図１〜６の実施形態に関して上述したように、第１のパネル９３０、第２のパネル９３２、及び第３のパネル９３４を有する（図５４を参照）。穿孔９３５は、２つのコンタクト外被式コンタクトレンズパッケージの間に示されている。
【０１０８】
図５４は、アレイのコンタクトレンズパッケージの各々の上に与えられたＵＤＩ９４０を示し、各ＵＤＩは、本明細書に説明するように、人間可読情報９４４及びコンピュータ可読情報９４２を含む。図５６は、アレイ９１０の底面図である。図５７は、アレイ９１０の前面図である。図５８は、アレイ９１０の後面図である。
【０１０９】
図５２〜５８の実施形態から理解されるように、コンタクトレンズパッケージは、アレイに置かれた１よりも多い密封コンタクトレンズパッケージを含むことができる。密封コンタクトレンズパッケージは、隣接するベース部材に対応する位置で密封部材に穿孔を有する。外被は、同数の密封コンタクトレンズパッケージに対応する複数の第１のパネルを含むことができる。各第１のパネルは、人間可読形態及び機械可読形態の両方の固有デバイス識別子を有する印刷面を含む。
【０１１０】
本発明のパッケージ及びパッケージのアレイは、当業者に公知の従来の方法を使用して作ることができる。例えば、パッケージ及びパッケージアレイのベース部材は、射出成形機において熱可塑性樹脂材料から射出成形することができる。コンタクトレンズパッケージング溶液のような液体は、ベース部材の空洞内に分注することができ、コンタクトレンズは、液体の中に挿入することができる。これに代えて、コンタクトレンズは、空洞の中に置くことができ、次に、液体を空洞内に分注することができる。次に、密封部材をベース部材の密封区域に適用して空洞内の液体及びコンタクトレンズを密封することができる。次に、水和コンタクトレンズを収容する密封パッケージは、殺菌して流通に向けて準備することができる。
【０１１１】
本発明の別の態様により、コンタクトレンズパッケージのアレイを含むコンタクトレンズパッケージを製造する方法は、密封コンタクトレンズパッケージを与える段階を含む。密封コンタクトレンズパッケージは、本明細書に説明する通りであり、ベース部材と、空洞を与えるようにベース部材に結合された密封部材とを含む。未着用コンタクトレンズは、空洞内のコンタクトレンズパッケージング溶液中に与えられる。本方法はまた、外被を密封コンタクトレンズパッケージに結合する段階を含む。外被は、人間可読形態及びコンピュータ可読形態の両方の固有デバイス識別子を含む印刷面を含む少なくとも１つのパネルを含む。人間可読形態は、数字、文字、又は両方を含む。機械可読形態は、バーコード（すなわち、１又は２以上のバーコード）を含む。
【０１１２】
一部の実施形態において、ベース部材は、空洞と空洞を取り囲む実質的な平面とを含む熱可塑性材料である。実質的な平面は、密封部材に密封面を提供する。一部の例は、上述したものを含む。一部の実施形態において、本方法は、外被の第１のパネルの接着面を密封部材に接着する追加の段階を含むことができ、第１のパネルは、密封コンタクトレンズパッケージの近位端に隣接する近位端と、密封コンタクトレンズパッケージの遠位端に隣接する遠位端とを含む。
【０１１３】
更に別の実施形態において、外被の第２のパネルを折り畳む段階を提供する。第２のパネルは、折り畳まれて第１のパネルの遠位端から延びる。更に追加の実施形態において、本方法は、外被の第３のパネルを折り畳む段階を含み、第３のパネルは、近位端及び遠位端を含み、それは、第３のパネルの遠位端が第２のパネルに隣接するように折り畳まれる。
【０１１４】
本発明の方法の一例は、図５９に示されている。コンタクトレンズパッケージを製造する方法１１００を提供する。密封コンタクトレンズパッケージが与えられ、かつ本明細書に説明するようにベース部材１１１８とそれに結合された密封部材１１１６とを含む。密封コンタクトレンズパッケージは、接着面が密封部材１１１６と接触し、かつ第１のパネル１１３０を密封部材１１１６に結合するように、外被１１１４の第１のパネル１１３０と接触した状態に置かれる。外被１１１４は、ロール上に与えられ、密封コンタクトレンズが外被１１１４に結合される時に広げられる。第２のパネル１１３２及び第３のパネル１１３４は、従って、第３のパネルの近位端が第１のパネルの近位端に位置合わせされるように折り畳まれる。収縮スリーブ１１６０は、ＵＤＩ外被１１１４を有するコンタクトレンズパッケージを受け入れる。収縮スリーブ１１６０は、収縮して外被付きコンタクトレンズパッケージの周りにピッタリしたフィットを提供する。その後に、コンタクトレンズパッケージは、穿孔１１６２に沿って収縮スリーブを分離することによって開放することができる。第１のパネル１１３０がベース部材から引き離される時に、密封部材１１１６は、ベース部材から同じく分離され、それによってベース部材と密封部材の間に形成された空洞に収容された未着用コンタクトレンズを露出する。
【０１１５】
本明細書の開示は、ある一定の特定の実施形態を参照したが、それらの実施形態は、一例として提示されており、制限ではないことは理解されるものとする。本明細書に説明するあらゆる特徴又は特徴の組合せは、あらゆるそのような組合せに含まれる特徴がこの文脈、この明細書、及び当業者の知識から明らかなであるように相互に矛盾しないという条件で、本発明の範囲に含まれる。これに加えて、あらゆる特徴又は特徴の組合せは、本明細書に開示するいずれの実施形態からも具体的に除外される場合がある。例示的実施形態を議論したものではあるが、上述の詳細説明の意図は、本発明の説明及び特許請求の範囲に説明する実施形態の全ての修正物、代替物、及び均等物を網羅するように解釈されるということである。
【符号の説明】
【０１１６】
１０  コンタクトレンズパッケージ
１２  密封コンタクトレンズパッケージ
１４  外被
２０  空洞
Ｄ：遠位端
【図１】
0006277287.tif 000002
【図２】
0006277287.tif 000003
【図３】
0006277287.tif 000004
【図４】
0006277287.tif 000005
【図５】
0006277287.tif 000006
【図６】
0006277287.tif 000007
【図７】
0006277287.tif 000008
【図８】
0006277287.tif 000009
【図９】
0006277287.tif 000010
【図１０】
0006277287.tif 000011
【図１１】
0006277287.tif 000012
【図１２】
0006277287.tif 000013
【図１３】
0006277287.tif 000014
【図１４】
0006277287.tif 000015
【図１５】
0006277287.tif 000016
【図１６】
0006277287.tif 000017
【図１７】
0006277287.tif 000018
【図１８】
0006277287.tif 000019
【図１９】
0006277287.tif 000020
【図２０】
0006277287.tif 000021
【図２１】
0006277287.tif 000022
【図２２】
0006277287.tif 000023
【図２３】
0006277287.tif 000024
【図２４】
0006277287.tif 000025
【図２５】
0006277287.tif 000026
【図２６】
0006277287.tif 000027
【図２７】
0006277287.tif 000028
【図２８】
0006277287.tif 000029
【図２９】
0006277287.tif 000030
【図３０】
0006277287.tif 000031
【図３１】
0006277287.tif 000032
【図３２】
0006277287.tif 000033
【図３３】
0006277287.tif 000034
【図３４】
0006277287.tif 000035
【図３５】
0006277287.tif 000036
【図３６】
0006277287.tif 000037
【図３７】
0006277287.tif 000038
【図３８】
0006277287.tif 000039
【図３９】
0006277287.tif 000040
【図４０】
0006277287.tif 000041
【図４１】
0006277287.tif 000042
【図４２】
0006277287.tif 000043
【図４３】
0006277287.tif 000044
【図４４】
0006277287.tif 000045
【図４５】
0006277287.tif 000046
【図４６】
0006277287.tif 000047
【図４７】
0006277287.tif 000048
【図４８】
0006277287.tif 000049
【図４９】
0006277287.tif 000050
【図５０】
0006277287.tif 000051
【図５１】
0006277287.tif 000052
【図５２】
0006277287.tif 000053
【図５３】
0006277287.tif 000054
【図５４】
0006277287.tif 000055
【図５５】
0006277287.tif 000056
【図５６】
0006277287.tif 000057
【図５７】
0006277287.tif 000058
【図５８】
0006277287.tif 000059
【図５９】
0006277287.tif 000060
【図６０】
0006277287.tif 000061
【図６１】
0006277287.tif 000062
【図６２】
0006277287.tif 000063